(57)【要約】【課題】たとえレンズが本体ケースの前面に露出していたとしても、フォーカスを適切な状態で保持することができるインターホン機器を提供する。【解決手段】レンズ鏡筒１７に鍔状の密着片１９を設け、密着片１９とレンズホルダ１０の前面とを前後方向で重ならせるとともに、ウェーブワッシャ３０を、レンズユニット１１の雄ねじ部１８を挿通させた状態で、密着片１９とレンズホルダ１０の前面との間に、密着片１９とレンズホルダ１０の前面とにより前後から押し潰された格好で介在させるようにした。そのため、レンズホルダ１０へレンズユニット１１を螺合する際、合焦点へ近づくにつれてトルクが強くなる。したがって、レンズホルダ１０に対してレンズユニット１１を合焦点で強固に固定することができる。【選択図】図４
2019092038.tif 000002
【特許請求の範囲】
【請求項１】
レンズ及び前記レンズを保持するレンズ鏡筒を有するレンズユニットと、前記レンズユニットの後部側が螺合されることにより前記レンズユニットと一体化されるレンズホルダと、撮像素子が搭載され、前記レンズホルダの後側に配置される回路基板とを備えたカメラが本体ケースの内部に設置されてなるインターホン機器であって、
前記レンズ鏡筒に鍔状の板部が設けられ、前記板部と前記レンズホルダの前面とが前後方向で重なっているとともに、
ウェーブワッシャが、前記レンズユニットの後部側を挿通させた状態で、前記板部と前記レンズホルダの前面との間に、前記板部と前記レンズホルダの前面とにより前後から押し潰された格好で介在されていることを特徴とするインターホン機器。
【請求項２】
レンズ及び前記レンズを保持するレンズ鏡筒を有するレンズユニットと、前記レンズユニットの後部側が螺合されることにより前記レンズユニットと一体化されるレンズホルダと、撮像素子が搭載され、前記レンズホルダの後側に配置される回路基板とを備えたカメラが本体ケースの内部に設置されてなるインターホン機器であって、
前記レンズ鏡筒に鍔状の板部が設けられ、前記板部と前記レンズホルダの前面とが前後方向で重なっているとともに、
コイルバネが、前記レンズユニットの後部側を挿通させた状態で、前記板部と前記レンズホルダの前面との間に、前記板部と前記レンズホルダの前面とにより前後から押し潰された格好で介在されていることを特徴とするインターホン機器。
【請求項３】
前記板部の外周縁に沿って、後側へ突出する壁部が設けられていることを特徴とする請求項１又は２に記載のインターホン機器。
【発明の詳細な説明】
【技術分野】
【０００１】
本発明は、たとえば来訪者等を撮像するための撮像手段を備えたインターホン機器に関するものである。
【背景技術】
【０００２】
従来、インターホン機器の一例であるインターホン子機には、来訪者等を撮像するためのカメラが備えられることがある（たとえば特許文献１）。そして、そのようなインターホン機器におけるカメラは、レンズを保持するレンズユニットを、回路基板が固定されるレンズホルダに螺合することによって構成されており、レンズユニットのレンズホルダへの螺合度合いを調整することにより、フォーカスを調整可能となっている。
【先行技術文献】
【特許文献】
【０００３】
【特許文献１】特開２０１３−１７９４５７号公報
【発明の概要】
【発明が解決しようとする課題】
【０００４】
上述したようなカメラを備えたインターホン機器では、フォーカスが最適となる螺合度合いの保持が問題となる。特に、特許文献１に記載されているように、レンズカバー等に覆われることなくレンズが本体ケースの前面に露出するようなインターホン機器では、レンズが何かに触れる機会も増えるため、フォーカスの適切な状態での保持は一層重要な問題となる。
【０００５】
そこで、本発明は、上記問題に鑑みなされたものであって、たとえレンズが本体ケースの前面に露出していたとしても、フォーカスを適切な状態で保持することができるインターホン機器を提供しようとするものである。
【課題を解決するための手段】
【０００６】
上記目的を達成するために、本発明のうち請求項１に記載の発明は、レンズ及びレンズを保持するレンズ鏡筒を有するレンズユニットと、レンズユニットの後部側が螺合されることによりレンズユニットと一体化されるレンズホルダと、撮像素子が搭載され、レンズホルダの後側に配置される回路基板とを備えたカメラが本体ケースの内部に設置されてなるインターホン機器であって、レンズ鏡筒に鍔状の板部が設けられ、板部とレンズホルダの前面とが前後方向で重なっているとともに、ウェーブワッシャが、レンズユニットの後部側を挿通させた状態で、板部とレンズホルダの前面との間に、板部とレンズホルダの前面とにより前後から押し潰された格好で介在されていることを特徴とする。
請求項１に記載の発明によれば、ウェーブワッシャが、レンズユニットの後部側を挿通させた状態で、板部とレンズホルダの前面との間に、板部とレンズホルダの前面とにより前後から押し潰された格好で介在されているため、レンズホルダへレンズユニットの後部側を螺合する際、合焦点へ近づくにつれてトルクが強くなる。したがって、レンズホルダに対してレンズユニットを合焦点で強固に固定することができる。また、たとえばＯリング等の合成樹脂製の部材ではなくウェーブワッシャを採用したことで、長期に亘る使用やフォーカスの調整の繰り返しに際しての耐久性を向上させることができる。さらに、板部とレンズホルダの前面との間の距離が異なる他のインターホン機器についても、ウェーブワッシャの曲がり角度等を調整することにより、同じウェーブワッシャを使用することができるため、部品点数の削減、ひいては低コスト化を図ることができる。加えて、レンズに対して本体ケースの内側方向へ強い負荷がかかった際には、ウェーブワッシャが緩衝部材としての機能をも果たし、耐衝撃性の一層の向上を図ることができる上、たとえレンズユニットが本体ケースの内側へ押し込まれてしまったとしても、板部の後面がレンズホルダの前面に当接し、それ以上の後方（特に回路基板側）への移動が阻止される。したがって、レンズユニットと回路基板とが接触する等してカメラが大きく損傷してしまうような事態を防止することができる。
【０００７】
また、上記目的を達成するために、本発明のうち請求項２に記載の発明は、レンズ及びレンズを保持するレンズ鏡筒を有するレンズユニットと、レンズユニットの後部側が螺合されることによりレンズユニットと一体化されるレンズホルダと、撮像素子が搭載され、レンズホルダの後側に配置される回路基板とを備えたカメラが本体ケースの内部に設置されてなるインターホン機器であって、レンズ鏡筒に鍔状の板部が設けられ、板部とレンズホルダの前面とが前後方向で重なっているとともに、コイルバネが、レンズユニットの後部側を挿通させた状態で、板部とレンズホルダの前面との間に、板部とレンズホルダの前面とにより前後から押し潰された格好で介在されていることを特徴とする。
請求項２に記載の発明によれば、コイルバネが、レンズユニットの後部側を挿通させた状態で、板部とレンズホルダの前面との間に、板部とレンズホルダの前面とにより前後から押し潰された格好で介在されているため、レンズホルダへレンズユニットの後部側を螺合する際、合焦点へ近づくにつれてトルクが強くなる。したがって、レンズホルダに対してレンズユニットを合焦点で強固に固定することができる。また、たとえばＯリング等の合成樹脂製の部材ではなくコイルバネを採用したことで、長期に亘る使用やフォーカスの調整の繰り返しに際しての耐久性を向上させることができる。加えて、レンズに対して本体ケースの内側方向へ強い負荷がかかった際には、コイルバネが緩衝部材としての機能をも果たし、耐衝撃性の一層の向上を図ることができる上、たとえレンズユニットが本体ケースの内側へ押し込まれてしまったとしても、板部の後面がレンズホルダの前面に当接し、それ以上の後方（特に回路基板側）への移動が阻止される。したがって、レンズユニットと回路基板とが接触する等してカメラが大きく損傷してしまうような事態を防止することができる。
【０００８】
請求項３に記載の発明は、請求項１又は２に記載の発明において、板部の外周縁に沿って、後側へ突出する壁部が設けられていることを特徴とする。
請求項３に記載の発明によれば、壁部により囲まれた空間をウェーブワッシャやコイルバネの収容スペースとすることができる。したがって、レンズユニットの後部側をレンズホルダへ螺合させるに際し、ウェーブワッシャやコイルバネを収容凹部内へ収容した状態とすることができ、ウェーブワッシャやコイルバネの位置が安定しやすく、カメラの組み立て作業が容易となる。また、壁部を設けたことで、ウェーブワッシャやコイルバネからカメラ窓の開口縁までの沿面距離を稼ぐことができるため、一層高い静電気耐性をもたせることができる。
【発明の効果】
【０００９】
本発明によれば、ウェーブワッシャ（若しくはコイルバネ）が、レンズユニットの後部側を挿通させた状態で、板部とレンズホルダの前面との間に、板部とレンズホルダの前面とにより前後から押し潰された格好で介在されているため、レンズホルダへレンズユニットの後部側を螺合する際、合焦点へ近づくにつれてトルクが強くなる。したがって、レンズホルダに対してレンズユニットを合焦点で強固に固定することができる。また、たとえばＯリング等の合成樹脂製の部材ではなくウェーブワッシャ（若しくはコイルバネ）を採用したことで、長期に亘る使用やフォーカスの調整の繰り返しに際しての耐久性を向上させることができる。
【図面の簡単な説明】
【００１０】
【図１】インターホン子機を前面側から示した説明図である。
【図２】カメラを設置した状態にある前ケースを後面側から示した斜視説明図である。
【図３】図２の前ケースを分解した状態にある斜視説明図である。
【図４】カメラを設置した状態にある前ケースの部分断面説明図である。
【図５】レンズホルダを示した説明図であって、（ａ）は前面側から示した説明図、（ｂ）は（ａ）中のＡ−Ａ線断面を示した説明図である。
【図６】レンズホルダを後面側から示した斜視説明図である。
【図７】レンズユニットを示した説明図である。
【図８】バネ部材を示した説明図である。
【図９】変更例となるレンズユニットを示した説明図である。
【発明を実施するための形態】
【００１１】
以下、本発明の一実施形態となるインターホン子機について、図面にもとづき詳細に説明する。
【００１２】
図１は、インターホン子機１を前面側から示した説明図である。
インターホン子機１は、前側に配置される前ケース２と、後側に配置される後ケース（図示せず）とで構成される本体ケースを有しており、この本体ケースの前面上部には、円孔状のカメラ窓３が開設され、該カメラ窓３内にレンズ４が露出するように、カメラ５（図２に示す）が本体ケース内に設置されている。また、カメラ窓３の右側には、通話のためのマイク部６が設けられている。さらに、カメラ窓３の下側には、来訪者が居住者を呼び出す際に操作する呼出ボタン７と、通話のためのスピーカ部８とが設けられている。そして、このようなインターホン子機１は、住戸の玄関の壁面等に設置されており、来訪者によって呼出ボタン７が操作されると、住戸内に設置されているインターホン親機（図示せず）を呼び出すとともに、カメラ５を作動させて来訪者を撮像する。なお、カメラ５により撮像された映像は、インターホン親機に備えられているモニタに表示される。
【００１３】
ここで、本発明の要部となるカメラ５の構造について、図２〜図８をもとに詳細に説明する。
図２は、カメラ５を設置した状態にある前ケース２を後面側から示した斜視説明図である。図３は、図２の前ケース２を分解した状態にある斜視説明図である。図４は、カメラ５を設置した状態にある前ケース２の部分断面説明図である。図５は、レンズホルダ１０を示した説明図であって、（ａ）は前面側から示した説明図、（ｂ）は（ａ）中のＡ−Ａ線断面を示した説明図である。図６は、レンズホルダ１０を後面側から示した斜視説明図である。図７は、レンズユニット１１を示した説明図である。図８は、バネ部材を示した説明図であって、（ａ）及び（ｂ）はウェーブワッシャ３０を、（ｃ）及び（ｄ）はコイルバネ３１を夫々示している。
【００１４】
カメラ５は、レンズユニット１１と、レンズユニット１１の後部を支持するレンズホルダ１０と、撮像素子（図示せず）等が搭載された回路基板１２と、レンズユニット１１とレンズホルダ１０との間に介在するウェーブワッシャ３０とを備えてなる。レンズホルダ１０は、前面が平らな基台で、ガラス繊維が混入した合成樹脂により形成されている。また、レンズホルダ１０の中央部には、レンズユニット１１を螺合させるための螺合孔１３（図５（ｂ）や図６において、螺合孔１３内周面に刻設されたネジ溝は省略している）が設けられている。さらに、レンズホルダ１０の左上隅部、右部、及び下部には、レンズホルダ１０を前ケース２の裏面に固定するための固定片１４、１４・・が設けられている。各固定片１４には、後方へ突出する位置決め凸部１４ａが設けられており、該位置決め凸部１４ａの略中央に、ネジ孔１４ｂが前後方向へ穿設されている。さらにまた、レンズホルダ１０の右上隅部、及び左下隅部には、レンズホルダ１０と回路基板１２とを一体化するためのネジ止め部１５、１５が設けられている。そして、各固定片１４のネジ孔１４ｂ、及びネジ止め部１５のネジ孔は、螺合孔１３の中央を中心とした略同一円周上に位置した状態となっている。加えて、レンズホルダ１０の後面には、螺合孔１３から放射状に延びる複数の補強リブ１６、１６・・が設けられている。
【００１５】
一方、レンズユニット１１は、複数のレンズ部材で構成されるレンズ４、及びレンズ４を保持するレンズ鏡筒１７からなる。そして、レンズ鏡筒１７は、前後方向へ延びる円筒状に形成され、内部にレンズ４を収容し、その前部を前面から露出させた状態で保持可能となっている。また、レンズ鏡筒１７の後部は、螺合孔１３へねじ込み可能な雄ねじ部１８として形成されている（図７（ｂ）において、雄ねじ部１８の外周面に刻設されたネジ部は省略している）。さらに、レンズ鏡筒１７の前後方向での略中央部には、外周面から外方へ突出する鍔状の密着片１９が周設されている。該密着片１９は、前後両面共に平らな円板状に形成されており、カメラ窓３よりも大径で、後述の如くカメラ５の前ケース２への設置状態において、カメラ窓３の周縁部と前後方向で重なるようになっている。また、後述の如くレンズユニット１１とレンズホルダ１０とを一体化した際、密着片１９とレンズホルダ１０の前面とが前後方向で重なるようになっている。また、密着片１９の外周縁には、４５°間隔で切り欠き２０、２０・・が設けられている。
【００１６】
さらに、回路基板１２は、前面に撮像素子を始めとした種々の素子が搭載されてなる基板であって、レンズホルダ１０の後側に配置されている。そして、該回路基板１２には、レンズホルダ１０へネジ止めするためのネジ止め孔２３、２３、及びレンズホルダ１０の位置決め凸部１４ａが入り込み可能な位置決め孔２４や位置決め用切り欠き２５、２５が設けられている。
加えて、ウェーブワッシャ３０は、円環状に成形された金属薄板であって、軸方向へ波状の撓みが設けられることで弾性が付与されている。また、ウェーブワッシャ３０の内径は、レンズ鏡筒１７の雄ねじ部１８よりも大径となっている一方、ウェーブワッシャ３０の外径は、レンズ鏡筒１７の密着片１９よりも小径となっており、レンズ鏡筒１７の雄ねじ部１８をウェーブワッシャ３０内に挿通させた状態で、密着片１９の後側にウェーブワッシャ３０を位置させることができるようになっている。
【００１７】
上述の如きカメラ５の組み立て及び前ケース２への設置について説明すると、まずレンズ鏡筒１７の雄ねじ部１８を、レンズホルダ１０の前方側からウェーブワッシャ３０を介して螺合孔１３へねじ込み、レンズユニット１１とレンズホルダ１０とを一体化する。このレンズユニット１１のレンズホルダ１０への螺合度合いを調整することにより、フォーカス調整が可能となっている。また、レンズホルダ１０へねじ込む際には、切り欠き２０、２０・・に回転工具を係合させる等してねじ込めばよい。さらに、レンズユニット１１をねじ込むと、ウェーブワッシャ３０が密着片１９とレンズホルダ１０の前面とにより前後から押し潰されることから、フォーカスが合焦点に近づくにつれてトルクが強くなり、レンズユニット１１は合焦点でレンズホルダ１０に強固に固定されることになる。
【００１８】
次に、レンズホルダ１０の位置決め凸部１４ａ、１４ａ・・を対応する回路基板１２の位置決め孔２４や位置決め用切り欠き２５、２５へ嵌め込み、回路基板１２上でのレンズホルダ１０の位置を位置決めした後、ネジ止め部１５、１５からネジ止め孔２３、２３へとネジ（図示せず）を螺入し、レンズホルダ１０と回路基板１２とを一体化してカメラ５を組み立てる。さらに、前ケース２の後面においてカメラ窓３を囲むように防水性を有する弾性部材２８を配置した上で、レンズ群４をカメラ窓３内へ露出させながら、レンズホルダ１０の固定片１４、１４・・を、前ケース２の後面に突設された固定ボス２６、２６・・にあてがい、カメラ５の後方側からネジ２７、２７・・をネジ孔１４ｂ、１４ｂ・・及び固定ボス２６、２６・・へとねじ込んで、カメラ５を前ケース２の後面に取り付ける。すると、密着片１９の前面と前ケース２の後面との間が弾性部材２８によりシールされた状態で、カメラ５が前ケース２の後面に取り付けられることになり、カメラ５の組み立て及び前ケース２への設置は完了となる。なお、カメラ５の前ケース２への設置状態において、ウェーブワッシャ３０の外縁からカメラ窓３の開口縁までの沿面距離Ｌ（図４に示す）は１０ｍｍ以上となっており、ウェーブワッシャ３０のような金属部材を採用しているものの、十分な静電気耐性が確保されている。
【００１９】
以上のような構成を有するインターホン子機１によれば、レンズ鏡筒１７に鍔状の密着片１９が設けられ、密着片１９とレンズホルダ１０の前面とが前後方向で重なっているとともに、ウェーブワッシャ３０が、レンズユニット１１の雄ねじ部１８を挿通させた状態で、密着片１９とレンズホルダ１０の前面との間に、密着片１９とレンズホルダ１０の前面とにより前後から押し潰された格好で介在されている。そのため、レンズホルダ１０へレンズユニット１１を螺合する際、合焦点へ近づくにつれてトルクが強くなる。したがって、レンズホルダ１０に対してレンズユニット１１を合焦点で強固に固定することができる。また、レンズ４に対して本体ケースの内側方向へ強い負荷がかかった際には、ウェーブワッシャ３０が緩衝部材としての機能をも果たし、耐衝撃性の一層の向上を図ることができる。
【００２０】
さらに、たとえばＯリング等の合成樹脂製の部材ではなくウェーブワッシャ３０を採用したことで、長期に亘る使用やフォーカスの調整の繰り返しに際しての耐久性を向上させることができる。さらにまた、密着片１９とレンズホルダ１０の前面との間の距離が異なる他のインターホン機器についても、ウェーブワッシャ３０の曲がり角度等を調整して前後方向の厚み（波の振幅方向での幅）を変更することにより、同じウェーブワッシャ３０を使用することができるため、部品点数の削減、ひいては低コスト化を図ることができる。
【００２１】
加えて、レンズ４に本体ケースの内側方向へ強い負荷がかかり、レンズユニット１１が本体ケースの内側へ押し込まれてしまったとしても、密着片１９の後面がレンズホルダ１０の前面に当接し、それ以上の後方（特に回路基板１２側）への移動が阻止される。したがって、レンズユニット１１と回路基板１２とが接触する等してカメラ５が大きく損傷してしまうような事態を防止することができる。
【００２２】
また、レンズ鏡筒１７に設けられる密着片１９の前面と前ケース２の後面との間に弾性部材２８を介在させており、弾性部材２８が密着片１９の前面と前ケース２の後面との間をシールするように構成している。したがって、レンズ４の前方を覆うようなレンズカバーを設けずとも、カメラ窓３を介しての水滴の浸入等を効果的に防止することができるし、レンズカバーを設けていたことで生じていた有害なゴーストやフレアが発生することもない。
【００２３】
さらに、回路基板１２と前ケース２とを直接ネジ止めしておらず、レンズホルダ１０を介して回路基板１２と前ケース２とを一体化する、すなわちレンズホルダ１０と回路基板１２とをネジ止めするとともに、該ネジ止めとは別個にレンズホルダ１０と前ケース２とをネジ止めするようになっている。そのため、たとえ前ケース２に強い負荷がかかったとしても、該負荷は直接回路基板１２へ伝播せずに分散されることになる。したがって、回路基板１２の耐衝撃性を向上することができ、ひいてはカメラ５の耐久性を向上することができる。また、レンズホルダ１０を前ケース２へネジ止めするため、該ネジ止めにより弾性部材２８が密着片１９の前面と前ケース２の後面との間で自然と挟持されることになり、弾性部材２８の取付作業が容易である。
【００２４】
またさらに、レンズホルダ１０に螺合孔１３から放射状に延びる補強リブ１６、１６・・を設けているため、レンズホルダ１０の強度向上を図ることができる。
加えて、レンズホルダ１０と回路基板１２とをネジ止めするネジ止め部１５、１５、及びレンズホルダ１０と前ケース２とをネジ止めするネジ孔１４ｂ、１４ｂ・・を、螺合孔１３の中央を中心とした略同一円周上に位置させているため、カメラ５を前ケース２へネジ止めする際に締め付け状態を均等にしやすく、カメラ５の意図しない傾き等を防止しやすい。したがって、前ケース２の写り込み等の不具合が生じにくい。
【００２５】
なお、本発明に係るインターホン機器は、上記実施形態の態様に何ら限定されるものではなく、インターホン機器の全体的な構成は勿論、レンズホルダ１０やレンズユニット１１、またそれらの本体ケースへの取り付けに係る構成について、本発明の趣旨を逸脱しない範囲で、必要に応じて適宜変更することができる。
【００２６】
たとえば、上記実施形態では密着片１９とレンズホルダ１０の前面との間にウェーブワッシャ３０を介在させているが、ウェーブワッシャ３０に代えて、図８（ｃ）及び（ｄ）に示すようなコイルバネ３１を介在させるように構成してもよい。すなわち、コイルバネ３１を、レンズユニット１１の雄ねじ部１８を挿通させた状態で、密着片１９とレンズホルダ１０の前面との間に、密着片１９とレンズホルダ１０の前面とにより前後から押し潰された格好で介在させることになる。そして、コイルバネ３１を介在させたとしても、ウェーブワッシャ３０を採用した場合と同様に、フォーカスの適切な状態での保持は勿論、耐衝撃性や耐久性の向上等を図ることができる。
【００２７】
また、上記レンズユニット１１に代えて、図９に示すようなレンズユニット４１を採用することも可能である。図９は、変更例となるレンズユニット４１を示した説明図である。
ここでレンズユニット４１について説明すると、当該レンズユニット４１もレンズ４を保持するためのレンズ鏡筒４２を備えており、レンズ鏡筒４２には、密着片１９同様、鍔状に成形された板部４３が設けられている。ただ、板部４３の外周縁に沿って、後側へ突出する壁部４４が周設されており、壁部４４に囲まれた空間をバネ部材（図９ではコイルバネ３１としているが、ウェーブワッシャ３０であってもよい）を収容するための収容凹部４５としている。
【００２８】
このようなレンズユニット４１を採用することで、レンズユニット４１の後部側をレンズホルダ１０へ螺合させるに際し、バネ部材を収容凹部４５内へ収容した状態とすることができる。したがって、バネ部材の位置が安定しやすく、カメラの組み立て作業が容易となるという効果がある。また、壁部４４を設けたことにより、バネ部材からカメラ窓３の開口縁までの沿面距離を稼ぐことができるため、一層高い静電気耐性をもたせることができるという効果もある。
【００２９】
他には、密着片１９に設ける切り欠き２０、２０・・やレンズホルダ１０に設けた補強リブ１６、１６・・についても、その有無や数、形状を適宜設計変更することは当然可能であるし、回路基板１２を前ケース２に直接ネジ止めするような構成を採用することもできる。
また、上記実施形態ではレンズカバーを備えないとしているが、本発明に係る構成は、レンズカバーを有するインターホン機器についても好適に採用することができる。
さらに、上記実施形態ではインターホン子機について説明しているが、本発明のインターホン機器は、カメラを有してなるインターホン機器であれば、インターホン親機やテレビドアホンシステムの玄関子機等の他のインターホン機器に対しても良好に適用することができる。
【符号の説明】
【００３０】
１・・インターホン子機（インターホン機器）、２・・前ケース（本体ケース）、３・・カメラ窓、４・・レンズ、５・・カメラ、１０・・レンズホルダ、１１、４１・・レンズユニット、１２・・回路基板、１３・・螺合孔、１７、４２・・レンズ鏡筒、１８・・雄ねじ部、１９・・密着片（板部）、３０・・ウェーブワッシャ、３１・・コイルバネ、４３・・板部、４４・・壁部、４５・・収容凹部。
【図１】
2019092038.tif 000003
【図２】
2019092038.tif 000004
【図３】
2019092038.tif 000005
【図４】
2019092038.tif 000006
【図５】
2019092038.tif 000007
【図６】
2019092038.tif 000008
【図７】
2019092038.tif 000009
【図８】
2019092038.tif 000010
【図９】
2019092038.tif 000011